(57)【要約】【課題】箱本体などの凹みが設けられた部材の剛性を向上させることができる電気接続箱を提供する。【解決手段】電気接続箱１は箱本体２とサイドカバー４と開き規制部３０を備えている。箱本体２には凹溝１４が設けられている。開き規制部３０は侵入突部３２と受け溝３３を備えている。侵入突部３２は矢印Ｊに沿ってサイドカバー４から延びた延在部３４と該延在部３４から矢印Ｊに直交する方向に沿って延びた第２延在部３５を備えている。受け溝３３は凹溝１４の内面１４ａから矢印Ｊに沿って延びた凹溝部３６と該凹溝部３６から矢印Ｊに直交する方向に沿って延びた第２凹溝部３７を備えている。凹溝部３６内に延在部３４が侵入し第２凹溝部３７内に第２延在部３５が侵入して受け溝３３に侵入突部３２が侵入する。開き規制部３０は内面１４ａ同士が離れることを規制する。【選択図】図５
2006320146.tif 000002
【特許請求の範囲】
【請求項１】
外壁に凹みが形成された箱本体と、前記箱本体に取り付けられると前記凹みを塞ぐサイドカバーと、を備えた電気接続箱において、
前記凹みの互いに相対する内縁が、互いに離れることを規制する開き規制部を備えたことを特徴とする電気接続箱。
【請求項２】
前記開き規制部は、前記箱本体と前記サイドカバーとのうちの一方に設けられた侵入部と、
前記箱本体と前記サイドカバーとのうちの他方に設けられかつ前記侵入部に侵入される受け部と、
を備えたことを特徴とする請求項１に記載の電気接続箱。
【請求項３】
前記侵入部が、
前記凹みの内縁が互いに相対する方向に沿って延びた延在部と、
該延在部から前記凹みの内縁が互いに相対する方向に対し交差する方向に沿って延びた第２延在部と、を備えたことを特徴とする請求項２に記載の電気接続箱。
【請求項４】
前記サイドカバーが、スライドされることで前記箱本体に取り付けられ、
前記侵入部と前記受け部とが、前記サイドカバーのスライド方向に沿って直線状に延びていることを特徴とする請求項２または請求項３に記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱（例えば、特許文献１参照）と呼ぶ。
【０００５】
特許文献１に示された電気接続箱は、外郭を形成する箱本体と、配線盤と、箱本体に取り付けられるカバー部材などを備えている。箱本体には、ヒューズやリレーなどの電気部品が装着される。また、箱本体には、ワイヤハーネスのコネクタなどが嵌合する。
【０００６】
配線盤は、箱本体内に収容されており、前述したヒューズやリレーなどの電気部品と、ワイヤハーネスのコネクタの端子とを予め定められたパターンにしたがって、互いに電気的に接続する。カバー部材は、箱本体に取り付けられると、前述したワイヤハーネスのコネクタなどを覆う。
【０００７】
また、前述したカバー部材には、前述したワイヤハーネスを通す凹みとしての開口部が設けられている。開口部は、直線状に延在している。開口部の互いに相対する内縁には、前述した開口部の長手方向に沿って延在した溝が設けられている。さらに、カバー部材には、開口部を塞ぐサイドカバーが取り付けられる。サイドカバーは、幅方向の両縁が前述した溝内に侵入することで、カバー部材に取り付けられる。
【特許文献１】特開平８−３２２１２８号公報
【発明の開示】
【発明が解決しようとする課題】
【０００８】
前述した従来の電気接続箱は、サイドカバーの幅方向の両縁が開口部の内縁に設けられた溝に侵入して、該サイドカバーがカバー部材などに取り付けられるので、サイドカバーの幅方向に沿って開口部が拡がる方向に引張られると、開口部が拡がる方向にカバー部材が変形しやすかった。このように、従来の電気接続箱は、剛性が低く、カバー部材などが凹みとしての開口部が拡がる方向に変形して、サイドカバーが脱落しやすかった。
【０００９】
したがって、本発明の目的は、箱本体などの凹みが設けられた部材の剛性を向上させることができる電気接続箱を提供することにある。
【課題を解決するための手段】
【００１０】
前記課題を解決し目的を達成するために、請求項１に記載の本発明の電気接続箱は、外壁に凹みが形成された箱本体と、前記箱本体に取り付けられると前記凹みを塞ぐサイドカバーと、を備えた電気接続箱において、前記凹みの互いに相対する内縁が、互いに離れることを規制する開き規制部を備えたことを特徴としている。
【００１１】
請求項２に記載の本発明の電気接続箱は、請求項１記載の電気接続箱において、前記開き規制部は、前記箱本体と前記サイドカバーとのうちの一方に設けられた侵入部と、前記箱本体と前記サイドカバーとのうちの他方に設けられかつ前記侵入部に侵入される受け部と、を備えたことを特徴としている。
【００１２】
請求項３に記載の本発明の電気接続箱は、請求項２記載の電気接続箱において、前記侵入部が、前記凹みの内縁が互いに相対する方向に沿って延びた延在部と、該延在部から前記凹みの内縁が互いに相対する方向に対し交差する方向に沿って延びた第２延在部と、を備えたことを特徴としている。
【００１３】
請求項４に記載の本発明の電気接続箱は、請求項２または請求項３に記載の電気接続箱において、前記サイドカバーが、スライドされることで前記箱本体に取り付けられ、前記侵入部と前記受け部とが、前記サイドカバーのスライド方向に沿って直線状に延びていることを特徴としている。
【００１４】
請求項１に記載した本発明の電気接続箱によれば、箱本体に設けられた凹みの両縁が、互いに離れる方向に開くことを防止する開き規制部を備えているので、サイドカバーが箱本体に取り付けられると、凹みの内縁が互いに離れる方向に箱本体が変形しにくくなる。
【００１５】
請求項２に記載した本発明の電気接続箱によれば、開き規制部は、箱本体とサイドカバーとのうち一方に設けられた侵入部と、他方に設けられた受け部とを備えているので、侵入部が受け部に侵入すると、これらが互いに干渉して、サイドカバーと凹みの内縁とが互いに離れにくくなる。
【００１６】
請求項３に記載した本発明の電気接続箱によれば、侵入部が延在部と第２延在部とを備えているので、該侵入部が受け部に侵入すると則ち箱本体にサイドカバーが取り付けられると、開き規制部が、凹みの内縁同士が離れる方向に箱本体が変形することを確実に規制できる。
【００１７】
請求項４に記載した本発明の電気接続箱によれば、サイドカバーがスライドされることで箱本体に取り付けられ、侵入部と受け部とがサイドカバーのスライド方向に沿って延びているので、容易にサイドカバーを箱本体に取り付けることができ、該開き規制部がサイドカバーのスライド方向に対し交差する方向に箱本体が変形することを防止できる。
【発明の効果】
【００１８】
以上説明したように請求項１に記載の本発明は、凹みの内縁が互いに離れる方向に箱本体が変形しにくくなるので、箱本体などの凹みが設けられた部材の剛性を向上させることができる。さらに、サイドカバーの箱本体などからの脱落を防止できる。
【００１９】
請求項２に記載の本発明は、侵入部が受け部に侵入すると、これらが互いに干渉して、サイドカバーと凹みの内縁とが互いに離れにくくなるので、凹みの内縁が互いに離れる方向に箱本体が確実に変形しにくくなる。
【００２０】
請求項３に記載の本発明は、開き規制部が、凹みの内縁同士が離れる方向に箱本体が変形することを確実に規制できるので、箱本体などの凹みが設けられた部材の剛性をより確実に向上させることができる。
【００２１】
請求項４に記載の本発明は、容易にサイドカバーを箱本体に取り付けることができ、該開き規制部がサイドカバーのスライド方向に対し交差する方向に箱本体が変形することを防止できる。したがって、箱本体などの凹みが設けられた部材の剛性をより一層確実に向上させることができる。
【発明を実施するための最良の形態】
【００２２】
以下、本発明の一実施形態にかかる電気接続箱を、図１ないし図６に基づいて説明する。本実施形態にかかる図１に示す電気接続箱１は、移動体としての自動車に搭載される。
【００２３】
電気接続箱１は、図１に示すように、箱本体２と、図示しない配線盤と、端子金具３と、サイドカバー４と、開き規制部３０などを備えている。
【００２４】
箱本体２は、絶縁性の合成樹脂からなり、周知の射出成形により成形される。箱本体２は、複数の外壁１３により、筒状（箱状）に形成されている。箱本体２の図１の手前側に位置する上面（表面に相当する）２ａには、リレー５及びヒュージブルリンク６などの電気部品が装着されるとともに電気部品としてのコネクタ７が嵌合する装着部８ａ，８ｂと、端子取付部９とが設けられている。
【００２５】
端子取付部９には、ボルト１０と螺合する図示しないナットが埋設されている。端子取付部９は、上面２ａ上に端子金具３の後述する電気接触部１１（図２に示す）が重ねられ、かつボルト１０が電気接触部１１に設けられた後述する孔１２内を通ってナットに螺合することで、端子金具３を取り付ける。
【００２６】
また、箱本体２の図１の奥側に位置する図示しない下面には、前述した自動車に配索されるワイヤハーネスのコネクタが嵌合する。ワイヤハーネスのコネクタは、前述した自動車に搭載される各種の電子機器や、前述した箱本体２に嵌合する。
【００２７】
さらに、箱本体２には、図１、図５及び図６に示すように、一つの外壁１３の表面（以下、外壁面と呼ぶ）１３ａから凹の凹みとしての凹溝１４が設けられている。則ち、電気接続箱１の箱本体２は、外壁１３に凹溝１４が形成されている。凹溝１４は、前述した上面２ａと下面とが互いに相対する方向に沿って、直線状に伸びている。前述した上面２ａにおいて、前述した凹溝１４の近傍には、コネクタ７が嵌合する装着部８ｂと端子取付部９とが設けられている。
【００２８】
配線盤は、導電性のバスバと、絶縁板などを備えている。バスバは、導電性の板金に打ち抜き加工などのプレス加工が施されて得られる。バスバは、複数設けられている。複数のバスバは、互いに重ねられている。絶縁板は、互いに重ねられたバスバ間などに配され、バスバ同士が意図しない箇所で相互に電気的に接続すること則ち短絡することを防止するとともに、バスバを位置決めしている。
【００２９】
配線盤は、箱本体２内に収容されると、バスバがワイヤハーネスのコネクタと、装着部８ａに装着されたリレー５及びヒュージブルリンク６などの電気部品と、装着部８ｂに嵌合したコネクタ７と、端子取付部９に取り付けられた端子金具３と、を予め定められたパターンにしたがって、互いに電気的に接続する。
【００３０】
端子金具３は、厚手の板金が折り曲げられるなどして得られる。端子金具３は、図２に示すように、平板状の電気接触部１１と、電線接続部１５とを一体に備えている。電気接触部１１の平面形状は、矩形状である。電気接触部１１には、前述したボルト１０のねじ部を通すことのできる孔１２が貫通している。
【００３１】
電線接続部１５は、底板部１６と、複数のかしめ片１７とを備えている。底板部１６は、電気接触部１１から折り曲げられて、該電気接触部１１から立設している。なお、図示例では、底板部１６と電気接触部１１とのなす角度は、略９０度である。電線接続部１５は、底板部１６を備えていることで、電気接触部１１から立設している。
【００３２】
かしめ片１７は、底板部１６の幅方向の両縁に連なっている。かしめ片１７は、底板部１６に近づく方向に曲げられて、該底板部１６との間に電線１８を挟む。こうして、かしめ片１７は、電線１８を加締める。電線接続部１５は、かしめ片１７が電線１８を加締めることで、該電線１８が取り付けられるとともに、電線１８と電気的に接続される。
【００３３】
前述した端子金具３は、電線接続部１５に電線１８が取り付けられた状態で、電線接続部１５及び電線１８が凹溝１４内に収容されて、電気接触部１１が端子取付部９に取り付けられる。このとき、電気接触部１１は、端子取付部９に重ねられ、孔１２内にねじ部が通されたボルト１０がナットに螺合することで、端子取付部９則ち上面２ａに取り付けられる。また、電気接触部１１の長手方向は、前述した凹溝１４が設けられた外壁１３の外壁面１３ａと平行となる。また、端子金具３に取り付けられる電線１８は、図示例では、バッテリなどの電源に接続する。
【００３４】
サイドカバー４は、絶縁性の合成樹脂からなり、周知の射出成形により成形される。サイドカバー４は、図３ないし図５に示すように、平板状の本体部１９と、仕切壁２０と、一対の側壁３１と、を一体に備えている。本体部１９は、平面形状が前述した凹溝１４の平面形状と略等しい矩形状に形成されている。本体部１９は、後述する開き規制部により、箱本体２に取り付けられる。
【００３５】
本体部１９則ちサイドカバー４は、箱本体２に取り付けられると、前述した凹溝１４が設けられた外壁１３の外壁面１３ａと略面一になるとともに、前述した凹溝１４の外壁１３における開口を塞ぐ。こうして、本体部１９則ちサイドカバー４は、箱本体２に取り付けられると、前述した凹溝１４を塞ぐ。また、本体部１９則ちサイドカバー４は、箱本体２に取り付けられると、前述した凹溝１４の前述した上面２ａ及び下面側の開口を塞がない（開放する）。
【００３６】
仕切壁２０は、本体部１９から凹溝１４の内面に向かって立設しているとともに、前述した箱本体２の上面２ａと下面とが互いに相対する方向（図５などに示し、以下、矢印Ｋと記す）に沿って、直線状に延びている。なお、矢印Ｋは、特許請求の範囲に記載されたサイドカバー４のスライド方向もなしている。仕切壁２０は、本体部１９の幅方向の中央に設けられている。仕切壁２０は、図１に示すように、凹溝１４内を、第１の空間２２と第２の空間２３とに仕切る。第１の空間２２と第２の空間２３は、それぞれ、前述した箱本体２の上面２ａと下面とが互いに相対する方向に沿って、直線状に延びている。
【００３７】
側壁３１は、平板状に形成され、本体部１９から立設しているとともに、後述の矢印Ｊに沿って間隔をあけて配置されている。側壁３１は、サイドカバー４が箱本体２に取り付けられると、本体部１９から凹溝１４の内側に向かって延在している。一対の側壁３１は、互いに平行に配置されている。一対の側壁３１は、矢印Ｋに沿って、直線状に延びている。
【００３８】
また、前述したサイドカバー４は、複数の結束バンド２４を備えている。結束バンド２４は、本体部１９則ちサイドカバー４の長手方向に沿って、互いに間隔をあけて配されている。結束バンド２４は、少なくとも一端が前述した本体部１９と仕切壁２０とのうち一方に連なっている。結束バンド２４は、本体部１９則ちサイドカバー４に前述した装着部８ｂに嵌合するコネクタ７が端部に取り付けられた電線２５を結束する。結束バンド２４は、前述したコネクタ７が端部に取り付けられた電線２５を前述した第２の空間２３に位置決めする。なお、電線２５は、コネクタ７が装着部８ｂに嵌合することで、該コネクタ７が取り付けられた端部が装着部８ｂに取り付けられる。
【００３９】
開き規制部３０は、図１、図５及び図６に示すように、侵入部としての侵入突部３２と、受け部としての受け溝３３と、を備えている。侵入突部３２と、受け溝３３とは、それぞれ、一対設けられている。
【００４０】
侵入突部３２は、図３に示すように、サイドカバー４の本体部１９から立設した側壁３１それぞれに設けられている。則ち、侵入突部３２は、サイドカバー４の本体部１９に矢印Ｊに沿って間隔をあけて設けられている。侵入突部３２は、矢印Ｋに対し直交する断面において、側壁３１から矢印Ｋに直交（交差）する方向（以下、矢印Ｊで示す）に沿ってサイドカバー４の外方向に向かって延在した延在部３４と、該延在部３４の本体部１９から離れた側の縁から矢印Ｊに対し直交（交差）する双方向に沿って延びた第２延在部３５と、を備えている。則ち、侵入突部３２は、矢印Ｋに対し直交する断面において、Ｔ字状に形成されている。なお、矢印Ｊは、凹溝１４の内縁としての内面１４ａが互いに相対する方向をなしている。前述した侵入突部３２は、矢印Ｋに沿って、直線状に延びている。
【００４１】
受け溝３３は、凹溝１４の矢印Ｊに沿って互いに相対する内面１４ａそれぞれに設けられている。受け溝３３は、矢印Ｋに対し直交する断面において、前記内面１４ａから凹でかつ該内面１４ａから矢印Ｊに沿って延びた凹溝部３６と、該凹溝部３６の内面１４ａから離れた側の縁から矢印Ｊに対し直交（交差）する双方向に沿って延びた第２凹溝部３７と、を備えている。則ち、受け溝３３は、矢印Ｋに対し直交する断面において、侵入突部３２の外形に沿ってＴ字状に形成されている。受け溝３３には、凹溝部３６内に延在部３４が侵入しかつ第２凹溝部３７内に第２延在部３５が侵入して、侵入突部３２が侵入する。前述した受け溝３３は、矢印Ｋに沿って、直線状に延びている。
【００４２】
前述した開き規制部３０は、凹溝部３６内に延在部３４が侵入しかつ第２凹溝部３７内に第２延在部３５が侵入するとともに、矢印Ｋに直交する断面において延在部３４と第２延在部３５とが直交しかつ凹溝部３６と第２凹溝部３７とが直交する方向に延びているので、サイドカバー４が箱本体２に取り付けられると、前述した内面１４ａ同士が互いに離れることを規制する。則ち、開き規制部３０は、内面１４ａ同士が互いに離れる方向に箱本体２などが変形することを規制する。
【００４３】
前述した電気接続箱１は、以下のように組み立てられる。まず、箱本体２内に配線盤を収容し、箱本体２の上面２ａに設けられた装着部８ａにヒュージブルリンク６やリレー５などの電気部品を装着する。そして、凹溝１４内に端子金具３が取り付けられた電線１８とコネクタ７が端部に取り付けられた電線２５とを収容し、該端子金具３の電気接触部１１の長手方向を凹溝１４が設けられた外壁１３の外壁面１３ａと平行にし、電気接触部１１を端子取付部９に重ねる。そして、孔１２内にねじ部を通して、ボルト１０を端子取付部９のナットに螺合する。こうして、端子金具３を端子取付部９に固定する。すると、凹溝１４内に電線１８と端子金具３の電線接続部１５とを収容する。
【００４４】
そして、結束バンド２４でサイドカバー４に端部にコネクタ７が取り付けられた電線２５を結束する。そして、図５に示すように、サイドカバー４の本体部１９に矢印Ｊに沿って間隔をあけて  設けられた侵入突部３２を、凹溝１４の内面１４ａに設けられた受け溝３３内に挿入して、該サイドカバー４を矢印Ｋに沿ってスライドする。そして、サイドカバー４を箱本体２に取り付ける。すると、サイドカバー４が凹溝１４を塞ぐ。さらに、コネクタ７を装着部８ｂに取り付ける。こうして、前述した構成の電気接続箱１が組み立てられる。そして、電気接続箱１は、箱本体２の下面にワイヤハーネスのコネクタを嵌合するなどして、自動車に搭載される。そして、電気接続箱１は、自動車の電子機器と、ヒュージブルリンク６やリレー５などの電気部品などとを、予め定められたパターンにしたがって、互いに電気的に接続する。
【００４５】
本実施形態によれば、箱本体２に設けられた凹溝１４の内面１４ａが互いに離れる方向に開くことを防止する開き規制部３０を備えているので、サイドカバー４が箱本体２に取り付けられると、凹溝１４の内面１４ａが互いに離れる方向に箱本体２が変形しにくくなる。したがって、箱本体２などの凹溝１４が設けられた部材の剛性を向上させることができるとともに、サイドカバー４の箱本体２などからの脱落を防止できる。
【００４６】
開き規制部３０は、サイドカバー４に設けられた侵入突部３２と、箱本体２に設けられた受け溝３３とを備えているので、侵入突部３２が受け溝３３に侵入すると、これらが互いに干渉して、サイドカバー４と凹溝１４の内面１４ａとが互いに離れにくくなる。したがって、凹溝１４の内面１４ａが互いに離れる方向に箱本体２が確実に変形しにくくなる。
【００４７】
侵入突部３２が延在部３４と第２延在部３５とを備えているので、該侵入突部３２が受け溝３３に侵入すると則ち箱本体２にサイドカバー４が取り付けられると、開き規制部３０が、凹溝１４の内面１４ａ同士が離れる方向に箱本体２が変形することを確実に規制できる。したがって、箱本体２などの凹溝１４が設けられた部材の剛性をより確実に向上させることができる。
【００４８】
サイドカバー４がスライドされることで箱本体２に取り付けられ、侵入突部３２と受け溝３３とがサイドカバー４のスライド方向としての矢印Ｋに沿って延びているので、容易にサイドカバー４を箱本体２に取り付けることができ、該開き規制部３０がサイドカバー４のスライド方向に対し交差する方向に箱本体２が変形することを防止できる。したがって、箱本体２などの凹溝１４が設けられた部材の剛性をより一層確実に向上させることができる。
【００４９】
なお、前述した実施形態は本発明の代表的な形態を示したに過ぎず、本発明は、実施形態に限定されるものではない。即ち、本発明の骨子を逸脱しない範囲で種々変形して実施することができる。
【００５０】
則ち、前述した実施形態では、サイドカバー４に侵入部としての侵入突部３２を設け、箱本体２の凹溝１４の内面１４ａに受け部としての受け溝３３を設けている。しかしながら、本発明では、図７に示すように、サイドカバー４に受け部としての受け溝３３を設け、箱本体２の凹溝１４の内面１４ａに侵入部としての侵入突部３２を設けても良い。なお、図７において、前述した実施形態と同一部分には、同一符号を付して説明を省略する。
【００５１】
また、前述した実施形態では、凹みとしての凹溝１４は、端子金具３を端末に取り付けた電線１８などを収容している。しかしながら、本発明では、凹みは、端子金具３を端末に取り付けた電線１８に限らず種々の物品を収容しても良い。
【００５２】
さらに、前述した実施形態では、サイドカバー４を矢印Ｋに沿ってスライドさせて箱本体２に取り付けている。しかしながら、本発明では、サイドカバー４をスライドさせることなく箱本体２に取り付けても良い。また、侵入突部３２と受け溝３３の平面形状を、Ｔ字状に限らず種々の形状にしても良い。
【図面の簡単な説明】
【００５３】
【図１】本発明の一実施形態に係る電気接続箱の平面図である。
【図２】図１に示された電気接続箱の電線付きの端子金具を示す斜視図である。
【図３】図１に示された電気接続箱のサイドカバーを示す斜視図である。
【図４】図３に示されたサイドカバーの側面図である。
【図５】図１に示された電気接続箱の箱本体とサイドカバーを示す斜視図である。
【図６】図１に示された電気接続箱の要部の平面図である。
【図７】図６に示された電気接続箱の変形例の要部を示す平面図である。
【符号の説明】
【００５４】
１  電気接続箱
２  箱本体
４  サイドカバー
１３  外壁
１４  凹溝（凹み）
１４ａ  内面（内縁）
３０  開き規制部
３２  侵入突部（侵入部）
３３  受け溝（受け部）
３４  延在部
３５  第２延在部
Ｊ  内縁が互いに相対する方向
Ｋ  スライド方向
【図１】
2006320146.tif 000003
【図２】
2006320146.tif 000004
【図３】
2006320146.tif 000005
【図４】
2006320146.tif 000006
【図５】
2006320146.tif 000007
【図６】
2006320146.tif 000008
【図７】
2006320146.tif 000009